(57)【要約】【課題】プログラムの更新後に旧形式のデータを消去することなく装置の使用を開始することができ、またプログラムの更新後にも旧形式のデータを利用可能な情報処理装置を提供する。【解決手段】プログラムが書き換えられた際に、旧形式のドキュメント５１が画像記憶手段５０に存在するか否かを調べ、存在する場合はその旨をユーザに通知した上で、通常の動作状態に移行する。その後、旧形式のデータを使用するジョブが投入されたときはそのジョブの投入を拒否し、旧形式のデータを使用しないジョブの場合は通常通り実行する。また、管理者用設定画面を通じてユーザから変換指示を受けると、旧形式のデータを現在のプログラムに合った形式のデータに変換する。【選択図】図１
2005309548.tif 000002
【特許請求の範囲】
【請求項１】
プログラムの更新が行なわれる情報処理装置において、
プログラムが処理対象にするデータを記憶するための記憶手段と、
現在のプログラムが対応していない旧形式のデータが前記記憶手段に存在するか否かを調べる調査手段と、
前記調査手段の調査結果が旧形式のデータありを示すとき、前記記憶手段に存在する旧形式のデータを現在のプログラムに合った形式に変換する変換手段と
を有する
ことを特徴とする情報処理装置。
【請求項２】
プログラムの更新が行なわれる情報処理装置において、
プログラムが処理対象にするデータを記憶するための記憶手段と、
現在のプログラムが対応していない旧形式のデータが前記記憶手段に存在するか否かを調べる調査手段と、
前記調査手段の調査結果が旧形式のデータありを示すとき、その旨をユーザに通知する通知手段と
を有する
ことを特徴とする情報処理装置。
【請求項３】
データの変換指示をユーザから受け付ける変換指示受付手段と、
前記変換指示受付手段が変換指示を受け付けたことに基づいて、旧形式のデータを現在のプログラムに合った形式に変換する変換手段と
をさらに有する
ことを特徴とする請求項２に記載の情報処理装置。
【請求項４】
前記変換指示受付手段は、前記調査手段の調査結果が旧形式のデータなしを示すとき、前記変換指示の受付け釦を非表示にする
ことを特徴とする請求項３に記載の情報処理装置。
【請求項５】
前記調査手段の調査結果が旧形式のデータありを示すとき、前記記憶手段に存在する旧形式のデータを使用するジョブの実行は制限するが他のジョブの実行は許可する状態に遷移する
ことを特徴とする請求項２、３または４に記載の情報処理装置。
【請求項６】
ユーザからジョブの投入を受け付けるジョブ投入受付手段と、
ユーザがジョブを投入したとき、このジョブが現在のプログラムが対応していない旧形式のデータを使用するものであるか否かを判断する判断手段と、
前記判断手段の判断結果が旧形式のデータ使用ありを示すとき、前記ジョブの投入を禁止するジョブ制限手段と
をさらに有する
ことを特徴とする請求項２、３または４に記載の情報処理装置。
【請求項７】
ユーザからジョブの投入を受け付けるジョブ投入受付手段と、
ユーザの投入したジョブが現在のプログラムが対応していない旧形式のデータを使用するものであるか否かを判断する判断手段と、
前記判断手段の判断結果が旧形式のデータ使用ありを示すとき、前記ジョブで使用する旧形式のデータを現在のプログラムに合った形式に変換する即時変換手段と
をさらに有し、
前記即時変換手段で変換して得たデータを使用して前記ジョブを実行する
ことを特徴とする請求項２、３または４に記載の情報処理装置。
【請求項８】
前記旧形式のデータを残しておき、前記即時変換手段で変換して得たデータを、このデータを使用したジョブの実行終了後に削除する
ことを特徴とする請求項７に記載の情報処理装置。
【請求項９】
旧形式のデータを現在のプログラムに合った形式に変換する変換処理の実行中に電源が切断されたときは、電源の回復後に前記変換処理を最初からやり直し、
前記変換処理の完了後に行なう所定の後処理の実行中に電源が切断されたときは、電源の回復後に前記後処理からやり直す
ことを特徴とする請求項１、２、３、４、５、６、７または８に記載の情報処理装置。
【請求項１０】
プログラムの更新が行なわれる情報処理装置において、
ユーザからジョブの投入を受け付けるジョブ投入受付手段と、
ユーザがジョブを投入したとき、このジョブが現在のプログラムが対応していない旧形式のデータを使用するものであるか否かを判断する判断手段と、
前記判断手段の判断結果が旧形式のデータ使用ありを示すとき、前記ジョブの投入を禁止するジョブ制限手段と
を有する
ことを特徴とする情報処理装置。
【請求項１１】
プログラムの更新が行なわれる情報処理装置において、
ユーザからジョブの投入を受け付けるジョブ投入受付手段と、
ユーザの投入したジョブが現在のプログラムが対応していない旧形式のデータを使用するものであるか否かを判断する判断手段と
前記判断手段の判断結果が旧形式のデータ使用ありを示すとき、前記ジョブで使用する旧形式のデータを現在のプログラムに合った形式に変換する即時変換手段と
を有し、
前記即時変換手段で変換して得たデータを使用して前記ジョブを実行する
ことを特徴とする情報処理装置。
【請求項１２】
前記旧形式のデータを残しておき、前記即時変換手段で変換して得たデータを、このデータを使用したジョブの実行終了後に削除する
ことを特徴とする請求項１１に記載の情報処理装置。
【請求項１３】
プログラムが処理対象にするデータが画像データである
ことを特徴とする請求項１、２、３、４、５、６、７、８、９、１０、１１または１２に記載の情報処理装置。
【請求項１４】
前記調査手段は、プログラムの書き換えが行なわれた際に動作する
ことを特徴とする請求項１、２、３、４、５、６、７、８、９、１０、１１、１２または１３に記載の情報処理装置。
【請求項１５】
前記調査手段は、当該情報処理装置の立ち上げ初期化時に動作する
ことを特徴とする請求項１、２、３、４、５、６、７、８、９、１０、１１、１２または１３に記載の情報処理装置。
【請求項１６】
前記変換手段およびまたは前記即時変換手段としての機能を果たすためのプログラムを更新後のプログラムの一部に含めた
ことを特徴とする請求項１、３または１１に記載の情報処理装置。
【発明の詳細な説明】
【技術分野】
【０００１】
本発明は、プログラムの更新が行なわれる情報処理装置に係わり、特に、不揮発の記憶装置に残っている旧形式のデータを更新後のプログラムが扱えない場合の対応技術に関する。
【背景技術】
【０００２】
原稿のコピー機能などを備えたデジタル複合機の多くはハードディスク装置などの不揮発性記憶装置を有しており、ここに大量のドキュメント（画像データなど）を蓄積している。
【０００３】
一方、装置の動作プログラムは、機能の追加や改良などのために出荷後に現場でバージョンアップされることがあり、この作業工数を低減するために、ＲＯＭ交換といった作業を伴わずに現場でプログラムを更新するための各種技術が提案されている（たとえば、特許文献１参照。）。
【０００４】
【特許文献１】特開平１１−１８４７６０号公報
【発明の開示】
【発明が解決しようとする課題】
【０００５】
プログラムを更新すると、更新後のプログラムが使用するデータの形式やデータへのアクセス方法が更新前のプログラムで使用していたデータのそれらと変わってしまうことがある。このような場合には、プログラムを書き換えると、ハードディスク装置に保存されている旧形式のデータをアクセスできなくなるので、記憶装置を初期化したり旧形式のデータを削除したりしなければ、書き換え後のプログラムで装置を動作させることができなかった。
【０００６】
たとえば、プログラムの書き換え後に装置の電源を入れたとき、ハードディスク装置に旧形式のデータがあると「フォーマットしてください」というメッセージが表示され、これに従ってフォーマットしなければ、その先の動作に進むことができなかった。
【０００７】
特に、プログラムの更新によって重要なデータを使用できなくなる場合には大きな問題になる。
【０００８】
このような事態を回避するためには、プログラムの変更前に旧形式データを読み出して外部の装置でデータ形式を変換し、これをプログラム変更後に記憶装置に戻すという方法もあるが、プログラムの更新に伴う作業量が大幅に増えてしまう。
【０００９】
本発明は、上記の問題を解決しようとするものであり、プログラムの更新後に旧形式のデータを消去することなく装置の使用を開始することができ、またプログラムの更新後にも旧形式のデータを利用できる情報処理装置を提供することを目的としている。
【課題を解決するための手段】
【００１０】
請求項１に係わる発明は、プログラムの更新が行なわれる情報処理装置において、
プログラムが処理対象にするデータを記憶するための記憶手段（５０）と、
現在のプログラムが対応していない旧形式のデータが前記記憶手段（５０）に存在するか否かを調べる調査手段（２２）と、
前記調査手段（２２）の調査結果が旧形式のデータありを示すとき、前記記憶手段（５０）に存在する旧形式のデータを現在のプログラムに合った形式に変換する変換手段（２４）と
を有する
ことを特徴とする情報処理装置である。
【００１１】
上記発明によれば、現在のプログラムが対応していない旧形式のデータが記憶手段（５０）に残っている場合には、この旧形式のデータが現在のプログラムに合った形式に自動変換される。変換されるデータはプログラムが処理対象とするもので記憶手段（５０）に保存されるものであればよい。たとえば、画像データやドキュメントファイルなどがある。データの変換には、ヘッダ情報や付加情報の形式変換も含まれる。
【００１２】
旧形式のデータが存在するか否かは、記憶されているデータのヘッダ情報などから判別することができる。調査手段（２２）や変換手段（２４）の機能を果たすためのプログラムを更新後のプログラムの一部に含めておくとよい。調査手段（２２）による調査は、いつ行なわれてもかまわないが、たとえば、プログラム更新後の立ち上げ初期化時に行なうとよい。
【００１３】
請求項２に係わる発明は、プログラムの更新が行なわれる情報処理装置において、
プログラムが処理対象にするデータを記憶するための記憶手段（５０）と、
現在のプログラムが対応していない旧形式のデータが前記記憶手段（５０）に存在するか否かを調べる調査手段（２２）と、
前記調査手段（２２）の調査結果が旧形式のデータありを示すとき、その旨をユーザに通知する通知手段（２３、４０）と
を有する
ことを特徴とする情報処理装置である。
【００１４】
上記発明によれば、現在のプログラムが対応していない旧形式のデータが記憶手段（５０）に残っている場合には、その旨がユーザに通知される。変換処理には長時間を要する場合もあるので、ユーザは、この通知を受けたときすぐに変換処理を実施してもよいし、後で都合のよいときに変化処理を実施してもよい。
【００１５】
通知の方法は問わない。たとえば、警告メッセージを表示したり、警告音を鳴らしたりすればよい。警告メッセージを表示する場合には、一定時間経過後に通常動作に戻ってもよいし、ユーザの確認操作を待ってもよい。また、変換処理にかかる予想時間や変換が必要なファイル数を通知するとよい。
【００１６】
請求項３に係わる発明は、データの変換指示をユーザから受け付ける変換指示受付手段（４１）と、
前記変換指示受付手段（４１）が変換指示を受け付けたことに基づいて、旧形式のデータを現在のプログラムに合った形式に変換する変換手段（２４）と
をさらに有する
ことを特徴とする請求項２に記載の情報処理装置である。
【００１７】
上記発明によれば、ユーザから変換指示を受けたことに基づいて、旧形式のデータが現在のプログラムに合った形式に変換される。たとえば、管理者モードの操作画面で変換指示の操作を受け付ければ、一般のユーザが管理者の許可なくデータ変換してしまうことが防止される。
【００１８】
請求項４に係わる発明は、前記変換指示受付手段（４１）は、前記調査手段（２２）の調査結果が旧形式のデータなしを示すとき、前記変換指示の受付け釦を非表示にする
ことを特徴とする請求項３に記載の情報処理装置である。
【００１９】
上記発明によれば、旧形式のデータが記憶手段（５０）に存在しないときは、変換指示を入力するための画面や操作釦が非表示になり、変換指示を受け付け得ない状態になる。非表示は、まったく表示しないほか、非アクティブの状態（薄く表示されるが操作不能な状態）で表示する場合も含まれる。
【００２０】
請求項５に係わる発明は、前記調査手段（２２）の調査結果が旧形式のデータありを示すとき、前記記憶手段（５０）に存在する旧形式のデータを使用するジョブの実行は制限するが他のジョブの実行は許可する状態に遷移する
ことを特徴とする請求項２、３または４に記載の情報処理装置である。
【００２１】
上記発明によれば、記憶手段（５０）に旧形式のデータが存在する場合でも、そのデータを使用しないジョブは実行することができる。ジョブとは、ユーザがデジタル複合機などの情報処理装置に作業を依頼する際の単位となるものであり、原稿を複写するコピージョブ、プリントデータに基づいて印刷するプリントジョブ、原稿を読み取って得た画像データをドキュメントとして書庫に保存する保存ジョブ、書庫に保存されているドキュメントをプリントアウトしたり転送したりするジョブなどがある。
【００２２】
記憶手段（５０）に旧形式のデータが存在する場合には、たとえば、個人用の書庫に保存してあるドキュメントを送信したりプリントしたりするジョブの実行は制限されるが、単なるコピー動作などは実行可能になる。したがって、旧形式のデータが存在する旨の通知を受けた場合でも、旧形式のデータを使用しないジョブを実行するユーザは、変換処理を後回しにして目的のジョブをすぐに実行することが可能になる。
【００２３】
旧形式のデータを使用するジョブの実行制限は、そのジョブを指定するための操作画面が表示されないようにするほか、スタート釦が操作されたときに、指定されたジョブが旧形式のデータを使用するか否かを判断し、旧形式のデータを使用する場合にはジョブの投入を禁止または拒否するようにしてもよい。
【００２４】
請求項６に係わる発明は、ユーザからジョブの投入を受け付けるジョブ投入受付手段（４２）と、
ユーザがジョブを投入したとき、このジョブが現在のプログラムが対応していない旧形式のデータを使用するものであるか否かを判断する判断手段（２５）と、
前記判断手段（２５）の判断結果が旧形式のデータ使用ありを示すとき、前記ジョブの投入を禁止するジョブ制限手段（２６）と
をさらに有する
ことを特徴とする請求項２、３または４に記載の情報処理装置である。
【００２５】
上記発明によれば、ユーザの投入したジョブが旧形式のデータを使用するものであるとき、そのジョブの投入が禁止される。禁止は、指定されたドキュメントや画像データなどのデータが旧形式か否かを個別に判断して行なってもよいし、ジョブの種類を基準にしてもよい。すなわち、記憶手段（５０）に保存されているドキュメントや画像データを使用するジョブであればデータ形式の新旧にかかわらず一律にそのジョブの投入を禁止するように構成してもよい。また、ジョブの投入を禁止した際に、その理由をユーザに通知するとよい。
【００２６】
請求項７に係わる発明は、ユーザからジョブの投入を受け付けるジョブ投入受付手段（４２）と、
ユーザの投入したジョブが現在のプログラムが対応していない旧形式のデータを使用するものであるか否かを判断する判断手段（２５）と、
前記判断手段（２５）の判断結果が旧形式のデータ使用ありを示すとき、前記ジョブで使用する旧形式のデータを現在のプログラムに合った形式に変換する即時変換手段（２４）と
をさらに有し、
前記即時変換手段（２４）で変換して得たデータを使用して前記ジョブを実行する
ことを特徴とする請求項２、３または４に記載の情報処理装置である。
【００２７】
上記発明によれば、ユーザの投入したジョブが旧形式のデータを使用するものである場合には、該当する旧形式のデータだけを現在のプログラムに合った形式に変換してそのジョブが実行される。旧形式のデータをすべて現在のプログラムに合った形式に変換すると長い処理時間を要するが、今回のジョブで使用するデータだけを変換するので、短時間で変換処理が終了し、すぐにジョブの実行が開始される。
【００２８】
請求項８に係わる発明は、前記旧形式のデータを残しておき、前記即時変換手段（２４）で変換して得たデータを、このデータを使用したジョブの実行終了後に削除する
ことを特徴とする請求項７に記載の情報処理装置である。
【００２９】
上記発明によれば、ジョブ実行のために変換したデータは、そのジョブの実行後に削除される。現在のプログラムに合った形式に変換されたデータが管理者の許可なく記憶手段（５０）に残ることが防止される。
【００３０】
請求項９に係わる発明は、旧形式のデータを現在のプログラムに合った形式に変換する変換処理の実行中に電源が切断されたときは、電源の回復後に前記変換処理を最初からやり直し、
前記変換処理の完了後に行なう所定の後処理の実行中に電源が切断されたときは、電源の回復後に前記後処理からやり直す
ことを特徴とする請求項１、２、３、４、５、６、７または８に記載の情報処理装置である。
【００３１】
上記発明によれば、変換処理は、変換処理本体とその後処理とで構成され、変換処理本体の途中で電源が切断したときは電源オン後に最初から変換処理をやり直し、後処理の途中で電源が切断したときは電源オン後に後処理から再実行される。後処理には、旧形式のデータを削除する処理や、変換後のデータの管理情報を構築する処理などがある。変換処理を最初からやり直す場合には、電源が切断する前に途中まで変換した新形式のデータを削除してから変換処理を実行するとよい。
【００３２】
請求項１０に係わる発明は、プログラムの更新が行なわれる情報処理装置において、
ユーザからジョブの投入を受け付けるジョブ投入受付手段（４２）と、
ユーザがジョブを投入したとき、このジョブが現在のプログラムが対応していない旧形式のデータを使用するものであるか否かを判断する判断手段（２５）と、
前記判断手段（２５）の判断結果が旧形式のデータ使用ありを示すとき、前記ジョブの投入を禁止するジョブ制限手段（２６）と
を有する
ことを特徴とする情報処理装置である。
【００３３】
上記発明によれば、ユーザの投入したジョブが旧形式のデータを使用するものであるとき、そのジョブの投入が禁止される。
【００３４】
請求項１１に係わる発明は、プログラムの更新が行なわれる情報処理装置において、
ユーザからジョブの投入を受け付けるジョブ投入受付手段（４２）と、
ユーザの投入したジョブが現在のプログラムが対応していない旧形式のデータを使用するものであるか否かを判断する判断手段（２５）と
前記判断手段（２５）の判断結果が旧形式のデータ使用ありを示すとき、前記ジョブで使用する旧形式のデータを現在のプログラムに合った形式に変換する即時変換手段（２４）と
を有し、
前記即時変換手段（２４）で変換して得たデータを使用して前記ジョブを実行する
ことを特徴とする情報処理装置である。
【００３５】
上記発明によれば、ユーザの投入したジョブが旧形式のデータを使用するものである場合には、該当する旧形式のデータだけを現在のプログラムに合った形式に変換してそのジョブが実行される。
【００３６】
請求項１２に係わる発明は、前記旧形式のデータを残しておき、前記即時変換手段（２４）で変換して得たデータを、このデータを使用したジョブの実行終了後に削除する
ことを特徴とする請求項１１に記載の情報処理装置である。
【００３７】
上記発明によれば、ジョブ実行のために変換したデータは、そのジョブの実行後に削除される。
【００３８】
請求項１３に係わる発明は、プログラムが処理対象にするデータが画像データである
ことを特徴とする請求項１、２、３、４、５、６、７、８、９、１０、１１または１２に記載の情報処理装置である。
【００３９】
画像データには、原稿を読み取って得たものや、印刷データをラスタイメージに展開したものなどがある。
【００４０】
請求項１４に係わる発明は、前記調査手段（２２）は、プログラムの書き換えが行なわれた際に動作する
ことを特徴とする請求項１、２、３、４、５、６、７、８、９、１０、１１、１２または１３に記載の情報処理装置である。
【００４１】
上記発明によれば、旧形式のデータが記憶装置に存在するか否かの調査がプログラムの書き換え後すぐに行なわれる。
【００４２】
請求項１５に係わる発明は、前記調査手段（２２）は、当該情報処理装置の立ち上げ初期化時に動作する
ことを特徴とする請求項１、２、３、４、５、６、７、８、９、１０、１１、１２または１３に記載の情報処理装置である。
【００４３】
上記発明によれば、プログラムを書き換えた後のリセット時や電源オフオン時に、記憶装置内に旧形式のデータが存在するか否かがチェックされる。
【００４４】
請求項１６に係わる発明は、前記変換手段（２４）およびまたは前記即時変換手段（２４）としての機能を果たすためのプログラムを更新後のプログラムの一部に含めた
ことを特徴とする請求項１、３または１１に記載の情報処理装置である。
【００４５】
上記発明によれば、旧形式のデータを更新後のプログラムに合った形式に変換するためのプログラムが更新後のプログラムの一部として提供される。更新後のプログラムと変換プログラムとが一体になっているので、変換プログラムを別途入手したり、更新後のプログラムと変換プログラムとのバージョン合わせをユーザが意識したりする必要はない。
【発明の効果】
【００４６】
本発明に係わる情報処理装置によれば、更新後のプログラムが対応していない旧形式のデータを更新後のプログラムに合った形式に変換するので、プログラムを書き換えた後でも書き換え前のデータを利用することができる。その結果、記憶手段に記憶されている情報をプログラムの更新毎に初期化したり削除したりする必要がなくなり、重要なデータを消失することなくプログラムの書き換えが可能になる。
【００４７】
また、現在のプログラムが対応していない旧形式のデータが記憶装置に残っている場合にその旨をユーザに通知するものでは、旧形式のデータの変換に長い時間を要するような場合には、ユーザは、後で都合のよいときに変換処理を実施することが可能になる。
【００４８】
ユーザからの変換指示に基づいて旧形式のデータを現在のプログラムに合った形式に変換するものでは、ユーザが希望するときに変換処理を実行することができる。特に、旧形式のデータが記憶手段に存在しない場合に変換指示の受付け釦が非表示になるものでは、不必要な操作釦が現われないので、操作性が向上する。
【００４９】
記憶手段に旧形式のデータが存在するとき、旧形式のデータを使用するジョブの実行は制限するが他のジョブの実行を許可するものでは、旧形式のデータを使用しないジョブを実行するユーザは、長時間を要する場合のある変換処理を後回しにして、目的のジョブをすぐに実行することができる。
【００５０】
ユーザの投入したジョブが旧形式のデータを使用するものである場合に、該当する旧形式のデータだけを現在のプログラムに合った形式に変換してそのジョブを実行するものでは、今回のジョブで使用するデータだけを変換するので、短時間で変換処理を終えてすぐにジョブの実行が開始され、長い待ち時間でユーザに不便をかけることなく旧形式のデータを使用することが可能になる。
【００５１】
また、ジョブ実行のために変換したデータを、そのジョブの実行後に削除するものでは、現在のプログラムに合った形式に変換されたデータが管理者の許可なく記憶手段に次々と残ってしまうことが防止される。
【００５２】
変換処理が変換処理本体と後処理とで構成され、変換処理本体の途中で電源が切断したときは電源オン後に最初から変換処理をやり直し、後処理の途中で電源が切断したときは電源オン後に後処理から実行するものでは、必要な処理だけが電源オン後にやり直されるので、変換完了までの処理時間が短縮される。
【００５３】
プログラムが処理対象にするデータが画像データであるものでは、記憶手段に保存されている画像資産をプログラム変更後にも利用することが可能になる。
【００５４】
旧形式のデータが記憶装置に存在するか否かの調査をプログラムの書き換え後すぐに実行するものでは、プログラムの更新後すぐに旧形式のデータの存在をユーザに通知するので、ユーザは早期の対処が可能になる。
【００５５】
旧形式のデータを変換するためのプログラムを更新後のプログラムの一部として提供するものでは、更新後のプログラムと変換プログラムとが一体になっているので、変換プログラムを別途入手したり、更新後のプログラムと変換プログラムとのバージョン合わせをユーザが意識したりする必要がなく、利便性が向上する。
【発明を実施するための最良の形態】
【００５６】
以下、図面に基づき本発明の実施の形態を説明する。
【００５７】
図１は、本発明の実施の形態に係わる情報処理装置としての画像形成装置１０の構成を示している。画像形成装置１０は、原稿画像を読み取るスキャナ機能、原稿画像を読み取ってその複製画像を記録紙上に形成するコピー機能、印刷データに対応する画像を記録紙上に形成するプリンタ機能、画像データを転送する転送機能などを備えており、一般にデジタル複合機と称される装置である。
【００５８】
画像形成装置１０は、原稿を読み取って得た画像データなどを画像ファイルにして保存する機能を備えている。また、動作プログラムを製品出荷後に現場で書き換えることができるようになっており、プログラム更新後に旧形式の画像ファイルが保存されているときは、これを更新後のプログラムに合った形式に変換して使用可能にする機能を備えている。
【００５９】
このような機能を有する画像形成装置１０は、当該装置の動作を統括制御する制御部としてのＣＰＵ（中央処理装置）２０を備えており、バス１１を通じて各種のデバイスや装置がＣＰＵ２０に接続されている。このうち、フラッシュメモリ３０は、ＣＰＵ２０が実行するプログラムや各種固定データが記憶される不揮発性で書き換え可能なメモリである。ＲＡＭ１２は、ＣＰＵ２０がプログラムを実行する際に各種のデータを一時的に格納するワークメモリや、回転処理等を施すために画像データを少なくとも１ページ分格納するページメモリなどとして利用される。
【００６０】
読取部１３は、原稿画像を読み取って対応する画像データを取り込む機能を果たす。読取部１３は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。ラインイメージセンサはＣＣＤ（Charge Coupled Device）で構成される。ラインイメージセンサが出力するアナログ画像信号はＡ／Ｄ変換され、デジタルの画像データとして取り込まれる。
【００６１】
プリンタ部１４は、画像データに対応する画像を電子写真プロセスによって記録紙上に形成して出力する機能を果たす。プリンタ部１４は、記録紙の搬送装置と、感光体ドラムと、帯電装置と、レーザーユニットと、現像装置と、転写分離装置と、クリーニング装置と、定着装置とを有する、いわゆるレーザープリンタとして構成されている。
【００６２】
画像処理部１５は、画像データを圧縮・伸張する機能や画像を拡大・縮小する機能、画像を回転させる機能などを果たす。
【００６３】
表示操作部４０は、表面にタッチパネルを備えた液晶ディスプレイと各種の操作スイッチとから構成され、ユーザに各種の案内表示や状態表示を行なったり、ユーザから各種の操作を受け付けたりする機能を有する。通信制御部１６は、ＬＡＮ（ローカル・エリア・ネットワーク）などのネットワークと接続して通信する機能を果たす。
【００６４】
画像記憶手段５０は、画像データを収めた画像ファイルなどのドキュメントを格納するための大容量で不揮発の記憶装置である。本実施の形態では画像記憶手段５０として、ハードディスク装置（ＨＤＤ）を使用している。画像記憶手段５０には、ドキュメント５１とこれらを管理するための管理情報５２が登録される。管理情報５２は、画像記憶手段５０に記憶されているドキュメント５１を電源オン後の初期化処理で検索し、その結果に基づいて構築されるようになっている。なお、ドキュメントは、画像データに限定されず、システムが保持しているデータの中で、ユーザが作成した各種のファイルを指す。
【００６５】
プログラム書き換えＩ／Ｆ部１７は、フラッシュメモリ３０に格納されているプログラムを更新する際にそのプログラムを外部から入力するためのＩ／Ｆ装置である。たとえば、ＵＳＢ（Universal Serial Bus）に対応した機器を接続することができ、ＵＳＢフラッシュメモリに格納されたプログラムを読み込み可能になっている。また、ＬＡＮなどのネットワークを介してプログラムを読み込むものであってもよい。
【００６６】
ＣＰＵ２０は、画像形成装置１０の動作を統括制御する機能のほか、フラッシュメモリ３０に格納されるプログラムを書き換える機能や、旧形式のデータ（ドキュメント５１）が画像記憶手段５０に残っている場合にこれを更新後のプログラムで利用可能にするための各種の機能を果たす。
【００６７】
詳細には、ＣＰＵ２０は、プログラム書き換え手段２１と、調査手段２２と、通知制御手段２３と、変換手段２４と、判断手段２５と、ジョブ制限手段２６としての機能を果たす。プログラム書き換え手段２１は、プログラム書き換えＩ／Ｆ部１７から取り込んだプログラムでフラッシュメモリ３０に格納されているプログラムを書き換える機能を果たす。書き換えは、チェックサムなどでプログラムの正常性を確認した上で行なわれる。
【００６８】
調査手段２２は、現在のプログラムが対応していない旧形式のデータ（ドキュメント５１）が画像記憶手段５０に存在するか否かを調べる機能を果たす。調査手段２２は、個々のドキュメント５１が旧形式か否かを判定するデータ形式判定手段２７の機能を有している。
【００６９】
通知制御手段２３は、調査手段の調査結果が旧形式のデータありを示すとき、その旨をユーザに通知する機能を果たす。実際の通知は表示操作部４０に所定のメッセージを表示することで行なわれる。
【００７０】
変換手段２４は、旧形式のデータを現在のプログラムに合った形式に変換する機能を果たす。判断手段２５は、ユーザの投入したジョブが旧形式のデータを利用するものか否かを判断する機能を果たす。ジョブとは、ユーザが画像形成装置１０に作業を依頼する際の単位となるものであり、原稿を複写するコピージョブ、プリントデータに基づいて印刷するプリントジョブ、原稿を読み取って得た画像データをドキュメントとして書庫などに保存する保存ジョブ、書庫に保存されているドキュメントをプリントアウトしたり外部の装置に送信したりするジョブなどがある。ジョブ制限手段２６は、画像記憶手段５０に記憶されている旧形式のデータを使用するジョブの投入を禁止する機能を果たす。
【００７１】
なお、表示操作部４０は、旧形式のデータ（ドキュメント５１）を現在のプログラムに合った形式に変換する変換処理の実行指示をユーザから受け付ける変換指示受付手段４１としての機能のほか、ジョブの投入操作をユーザから受け付けるジョブ投入受付手段４２としての機能を果たすようになっている。
【００７２】
また、旧形式のデータを更新後のプログラムに合った形式に変換するために必要な変換処理用プログラム３２は動作プログラム３１とともに更新後のプログラムの一部として提供される。したがって、プログラムを更新すると変換手段２４やデータ形式判定手段２７としての機能を果たすための変換処理用プログラム３２も同時に入手して更新される。
【００７３】
次に、プログラムの書き換え後における画像形成装置１０の動作を説明する。
【００７４】
プログラムの書き換えが正常に終了すると、画像形成装置１０の電源がオフオンされ、更新後のプログラムで装置が起動される。
【００７５】
図２は、画像形成装置１０の主電源がオンされたときに実行されるシステム初期化処理の流れを示している。装置各部の初期化処理が行なわれた後、調査手段２２は、画像記憶手段５０に旧形式のドキュメント５１が格納されているか否かをチェックする（ステップＳ１０１）。旧形式か否かは、ドキュメント５１のヘッダ情報に含まれるファイルのバージョン情報と更新したプログラムのバージョン情報とを比較して判定する。
【００７６】
旧形式のドキュメント５１が画像記憶手段５０に存在するときは（ステップＳ１０２；Ｙ）、変換処理用のドキュメントマネージャ初期化処理を実行し（ステップＳ１０３）、フラッシュメモリ３０などの不揮発性メモリに格納されるドキュメント変換要求フラグをオン（セット）して（ステップＳ１０４）、本処理を終了する（エンド）。なお、ドキュメントマネージャは、システムがドキュメントファイルにアクセスする場合のインターフェースを司る制御手段であり、画像ファイルなどのドキュメントには、ドキュメントマネージャを通してアクセスするようになっている。また、ドキュメント変換要求フラグは、旧形式のドキュメント５１が画像記憶手段５０に存在し、その変換が必要であることを示す情報である。
【００７７】
旧形式のドキュメント５１が画像記憶手段５０に存在しないときは（ステップＳ１０２；Ｎ）、通常処理用のドキュメントマネージャ初期化処理を実行し（ステップＳ１０５）、ドキュメント変換要求フラグをオフ（リセット）して（ステップＳ１０６）本処理を終了する（エンド）。
【００７８】
上記の処理は、パワーセーブモードで行なわれ、表示操作部４０などは非表示の状態になっている。
【００７９】
図３は、副電源がオンしたとき、またはドキュメントマネージャの初期化処理が完了した際に実行される処理の流れを示している。副電源がオンすると表示操作部４０が表示状態になり、やがてユーザ操作を受け付け可能な状態になる。
【００８０】
後述するドキュメント変換開始フラグがオフで（ステップＳ１２１；ＯＦＦ）ドキュメント変換要求フラグがオン（ステップＳ１２２；ＯＮ）の場合は、旧形式のデータ（ドキュメント５１）が画像記憶手段５０に存在している旨をユーザに通知する（ステップＳ１２３）。
【００８１】
たとえば、「ドキュメントのバージョンが異なります。ドキュメントの変換、又はＨＤＤの初期化を実施してください」というメッセージが表示操作部４０に表示される。
【００８２】
その後は、通常の動作が可能になる。ただし、後述するように、旧形式のデータを使用するジョブについてはその投入が禁止される。旧形式のデータが存在する旨の通知を受けた場合でも、旧形式のデータを使用しないジョブを実行するユーザは、変換処理を後回しにして目的のジョブをすぐに実行することができる。
【００８３】
図３のうちドキュメント変換開始フラグがオン（ステップＳ１２１；ＯＮ）の場合の処理については後で説明することとし、ここでは、旧形式のデータを現在のプログラムに合った形式に変換する際の動作を先に説明する。
【００８４】
旧形式のデータを現在のプログラムに合った形式に変換する処理の実行指示（変換指示）は、パスワードなどで権限の認証された者だけが入ることのできる管理者用設定画面で受け付けるようになっている。
【００８５】
図４は、管理者用設定画面の一例を示している。管理者用設定画面２００には、管理者だけが実行可能な各種機能の選択釦２０１が表示されており、その１つに「旧データ変換」釦２０１ａがある。いずれかの選択釦２０１を選択操作した後、画面下部の「ＯＫ」釦２０２を操作すると、選択した機能が実行される。「戻る」釦２０３を操作すると管理者用設定画面２００を抜けて前の画面に戻るようになっている。
【００８６】
「旧データ変換」釦２０１ａは、画像記憶手段５０に旧形式のデータ（ドキュメント５１）が存在する場合だけ表示され、画像記憶手段５０に旧形式のデータが存在しないときは、図５に示すように、管理者用設定画面２００ａの中に表示されない。図６は、画像記憶手段５０に旧形式のデータが存在しない場合に「旧データ変換」釦２０１ａを非アクティブの状態で表示する管理者用設定画面２００ｂの一例を示している。非アクティブ状態の釦は、薄く見えるものの、操作することはできない。
【００８７】
図７は、管理者用設定画面２００の表示に係わる処理の流れを示している。他の画面から管理者用設定画面２００へ遷移する際に、ドキュメント変換要求フラグがオンになっているか否かをチェックする（ステップＳ１４１）。ドキュメント変換要求フラグがオンならば（ステップＳ１４１；Ｙ）、図４に示すように、「旧データ変換」釦２０１ａを表示した管理者用設定画面２００を表示操作部４０に表示する（ステップＳ１４２）。一方、ドキュメント変換要求フラグがオフならば（ステップＳ１４１；Ｎ）、「旧データ変換」釦２０１ａが非表示の管理者用設定画面２００ａ（図５参照）または「旧データ変換」釦２０１ａを非アクティブで表示した管理者用設定画面２００ｂ（図６参照）を表示する（ステップＳ１４３）。この場合、変換は行なわずに本処理は終了する（エンド）。
【００８８】
管理者用設定画面２００で「旧データ変換」釦２０１ａが操作されたときは（ステップＳ１４４；Ｙ）、旧形式のデータを現在のプログラムに合った形式に変換する変換処理を実行して（ステップＳ１４５）本処理を終了する（エンド）。管理者用設定画面２００で「旧データ変換」釦２０１ａが操作されなかったときは（ステップＳ１４４；Ｎ）、変換処理を行なうことなく本処理を終了する（エンド）。
【００８９】
なお、ドキュメント変換要求フラグがオフの場合に「旧データ変換」釦２０１ａが現われた管理者用設定画面２００を表示し、その操作を受け付けないように構成してもよい。
【００９０】
図８は変換処理の流れを示し、図９は変換処理におけるデータの変遷を模式的に示している。まず、ドキュメント変換要求フラグがオンになっているか否かをチェックし（ステップＳ１６１）、オフならば（ステップＳ１６１；ＯＦＦ）、変換すべき旧形式のデータ（ドキュメント５１）が画像記憶手段５０に存在しないので、後述するドキュメント変換開始フラグをオフにして（ステップＳ１６８）本処理を終了する（エンド）。この状況は、たとえば、ドキュメント変換要求フラグのオンオフにかかわらず「旧データ変換」釦２０１ａを管理者用設定画面２００に表示した場合に発生し得る。
【００９１】
ドキュメント変換要求フラグがオンならば（ステップＳ１６１；ＯＮ）、ドキュメント変換開始フラグをオンにする（ステップＳ１６２）。ドキュメント変換開始フラグは、変換処理を開始したことを示すフラグであり、フラッシュメモリ３０などの不揮発性メモリに記憶される。
【００９２】
さらにドキュメント変換状態情報を「変換中」に設定する（ステップＳ１６３）。変換処理は変換処理本体と後処理とで構成されており、ドキュメント変換状態情報は、処理の進捗状況が、変換処理本体の実行途中であるのか、変換処理本体の実行が完了して後処理の実行に移行した状態にあるのかを示すものである。ドキュメント変換状態情報は、不揮発性メモリに記憶される。ドキュメント変換状態情報が「変換中」のときは、変換処理本体の実行途中であることを示し、「削除中」のときは変換処理本体の実行が完了して後処理の実行に移行したことを示している。
【００９３】
ドキュメント変換開始フラグをオンにし、かつドキュメント変換状態情報を「変換中」に設定した後、変換処理本体が実行される（ステップＳ１６４）。変換処理本体では、図９に示すように、現在のプログラムに合った形式に変換したドキュメント（新データ２２２）が旧形式のドキュメント（旧データ２２１）に基づいて順次作成される。このとき旧データ２２１はそのまま残した状態で新データ２２２が作成される。
【００９４】
すべての旧データ２２１に対応する新データ２２２を作成して変換処理本体が完了すると、ドキュメント変換状態情報を「削除中」に設定する（ステップＳ１６５）。その後、後処理を実施する（ステップＳ１６６）。ここでは、後処理として旧データ２２１の削除を行なっている。また、変換した新データ２２２に基づいて管理情報５２を作成することを後処理に含めてもよい。
【００９５】
後処理の実行が完了するとドキュメント変換要求フラグをオフにし（ステップＳ１６７）、さらにドキュメント変換開始フラグをオフにして（ステップＳ１６８）本処理を終了する（エンド）。
【００９６】
図１０は、変換処理の実行中に表示操作部４０に表示される画面の一例を示している。変換中画面２４０には変換処理の進捗をレベルバー２４１の延びで示す進捗表示部２４２と、変換中につき電源を切らないようにユーザに警告する案内メッセージ２４３などが表示されている。
【００９７】
変換処理の進捗状況は、ドキュメント変換開始フラグとドキュメント変換状態情報の状態によって表わされている。すなわち、図９に示すように、ドキュメント変換開始フラグがオンでドキュメント変換状態情報が「変換中」の場合は変換処理本体の実行途中であることがわかる。また、ドキュメント変換開始フラグがオンでドキュメント変換状態情報が「削除中」の場合は、変換処理本体は完了したが後処理が終了していない状態にあることがわかる。さらにドキュメント変換開始フラグがオフならば、変換処理をまだ開始していないか後処理も完了している状態のいずれかにあることがわかる。
【００９８】
ドキュメント変換開始フラグやドキュメント変換状態情報は不揮発性メモリに記憶してあるので、変換処理の途中で画像形成装置１０の電源がオフされた場合には、電源オン後にドキュメント変換開始フラグとドキュメント変換状態情報とを調べることで、変換処理の途中で電源がオフしたか否かなどを認識することができる。
【００９９】
そこで、図３に示す処理においてドキュメント変換開始フラグとドキュメント変換状態情報とを調べて、必要な回復処理を実行するようになっている。すなわち、図３の処理でドキュメント変換開始フラグを調べた結果、このフラグがオンの場合は（ステップＳ１２１；ＯＮ）、ドキュメント変換状態情報が「変換中」か否かを調べる。「変換中」の場合は（ステップＳ１２４；Ｙ）、変換処理本体の実行途中で電源が切断されていたことがわかるので、途中まで作成した新データ２２２を削除し（ステップＳ１２５）、変換処理が正常に終了しなかった旨をユーザに通知して（ステップＳ１２６）本処理を終了する（エンド）。その後、適当な時期に管理者用設定画面２００から変換指示が入力されると、図８に示す変換処理が最初から実行される。
【０１００】
ドキュメント変換状態情報が「削除中」の場合は（ステップＳ１２４；Ｎ）、変換処理本体は完了したが後処理が終了していない状態で電源が切断されたことがわかるので、後処理（旧データ２２１の削除処理）を実行する。実際には図８のステップＳ１６６からＳ１６８までを実行し、該当するフラグをオフにする。
【０１０１】
次に、旧形式のデータを変換しないままでジョブの投入を行なった場合の動作を図１１に基づいて説明する。
【０１０２】
ユーザは、コピーや画像ファイルの転送などジョブの種類を選択し、さらにそのジョブに係わる各種のパラメータ（読み取りの解像度や濃度、画像ファイルの送信先など）を必要に応じて設定した後、図示省略のスタート釦を操作することでジョブを投入する。
【０１０３】
ジョブが投入されると（ステップＳ３０１）、判断手段２５はそのジョブが旧形式のデータを使用するものであるか否かを判定する（ステップＳ３０２）。たとえば、投入されたジョブが画像記憶手段５０に保存されているドキュメントファイルをアクセスするジョブであり、かつドキュメント変換要求フラグがセットされている（旧形式のデータが存在する）ときは、そのジョブを旧形式のデータを使用するジョブであると判定する。
【０１０４】
画像記憶手段５０に保存されているドキュメントファイルをアクセスするジョブには、たとえば、書庫に保存したドキュメント５１を外部の装置に送信したりプリントアウトしたりするジョブがある。旧形式のデータを使用しないジョブには、コピージョブや原稿を読み取ってその画像データをドキュメントとして書庫に保存するジョブなどがある。
【０１０５】
ジョブの投入を禁止するか否かは、ジョブの種類で判断するほか、そのジョブで使用するドキュメントを単位に判断してもよい。たとえば、初期化処理で旧形式のデータの存在を認識したとき、旧形式のデータに係わる管理情報５２を作成しておき、ユーザが今回のジョブで指定したドキュメントが旧形式のものか否かをこの管理情報５２を参照して判定するように構成すればよい。
【０１０６】
今回投入されたジョブが旧形式のデータを使用しないジョブであると判断したときは（ステップＳ３０３；Ｎ）、そのジョブを通常通りに実行する（ステップＳ３０４）。一方、投入されたジョブが旧形式のデータを使用するものであるときは（ステップＳ３０３；Ｙ）、ジョブの投入を禁止し（ステップＳ３０５）、ジョブを投入できない旨のメッセージをユーザに向けて表示する（ステップＳ３０６）。
【０１０７】
図１２は、ジョブの投入が禁止された旨のメッセージが表示されたジョブ設定画面３２０の一例を示している。この画面３２０には、「指定したジョブはデータ変換が必要なファイルを使用しています。データの変換処理を実行してください。」というメッセージが表示されている。このように、ジョブの投入が禁止された理由をその都度ユーザに通知するので、電源オン時に表示された旧形式のデータが存在する旨のメッセージを見ていないユーザに対しても、不安を与えることがない。また、変換処理を行なえば利用可能になることがわかるので、ユーザは適切な対応をとることが可能になる。
【０１０８】
図１３は、旧形式のデータを使用するジョブであってもそのジョブの実行を可能にする場合の動作を示している。ユーザからジョブの投入操作があると（ステップＳ４０１）、そのジョブが旧形式のデータを使用するジョブか否かを判断する（ステップＳ４０２）。旧形式のデータを使用しないジョブの場合は（ステップＳ４０２；Ｎ）、そのジョブを通常通りに実行する（ステップＳ４０３）。
【０１０９】
旧形式のデータを使用するジョブの場合は（ステップＳ４０２；Ｙ）、このジョブが旧形式のデータを使用するものであることをユーザに通知するとともに、今回使用する旧形式のデータだけを現在のプログラムに合った形式に変換してジョブを強制実行するか否かをユーザに問い合わせる（ステップＳ４０４）。
【０１１０】
今回使用する旧形式のデータを現在のプログラムに合った形式に変換する旨の指示をユーザから受けたときは（ステップＳ４０５；Ｙ）、今回のジョブで使用する旧形式のデータだけを現在のプログラムに合った形式に変換し（ステップＳ４０６）、この変換後のデータを使用してジョブを実行する（ステップＳ４０７）。ジョブの実行が完了すると、このジョブで使用した変換後のデータを削除する（ステップＳ４０８）。
【０１１１】
今回使用する旧形式のデータを変換しない旨の指示をユーザから受けたときは（ステップＳ４０５；Ｎ）、今回のジョブの実行を拒否して処理を終了する（エンド）。
【０１１２】
なお、このジョブで使用した変換後のデータをそのジョブの実行後に削除しないように構成してもよい。この場合は、同じデータを使用するジョブを再度投入した際には、あらためて変換することなくジョブが実行され、ユーザの待ち時間を短縮することができる。
【０１１３】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、実施の形態では、旧形式のデータが画像記憶手段５０に存在するか否かを電源オン時の初期化処理で調べるようにしたが、ユーザの操作に基づいて行なうなど、他のタイミングで調べるように構成してもよい。
【０１１４】
また実施の形態では、旧形式のデータが存在する場合に、その旨をユーザに通知し、その後ユーザから管理者用設定画面を通じて変換指示を受けたときに変換処理を実行するようにしたが、旧形式のデータの存在を検知したとき自動的に変換処理を実行してもよい。
【０１１５】
さらに、実施の形態では、旧形式のデータを新形式のデータに変換するための変換処理用プログラムを更新後のプログラムの一部に含めて提供するようにしたが、変換処理用プログラムを別途インストールするように構成してもよい。
【０１１６】
このほか実施の形態ではデジタル複合機を例に説明したが、出荷後に現場でプログラムを更新でき、しかも不揮発の記憶装置に旧形式のデータが保存されることのある各種の機器（情報処理装置）に本発明は適用することができる。
【図面の簡単な説明】
【０１１７】
【図１】本発明の実施の形態に係わる画像形成装置の構成を示すブロック図である。
【図２】本発明の実施の形態に係わる画像形成装置が主電源オン後に行なうシステム初期化処理を示す流れ図である。
【図３】副電源がオンしたとき、またはドキュメントマネージャの初期化処理が完了した際に実行される処理を示す流れ図である。
【図４】本発明の実施の形態に係わる画像形成装置の表示操作部に表示される管理者用設定画面の一例を示す説明図である。
【図５】旧形式のデータが画像記憶手段の存在しない場合に表示される管理者用設定画面の一例を示す説明図である。
【図６】旧形式のデータが画像記憶手段の存在しない場合に表示される管理者用設定画面の他の一例を示す説明図である。
【図７】管理者用設定画面の表示に係わる処理を示す流れ図である。
【図８】旧形式のデータを現在のプログラムに合った形式に変換する変換処理を示す流れ図である。
【図９】変換処理におけるデータの変遷を模式的に示す説明図である。
【図１０】本発明の実施の形態に係わる画像形成装置の表示操作部に表示される変換中画面の一例を示す説明図である。
【図１１】ジョブが投入時の処理を示す流れ図である。
【図１２】ジョブの投入が禁止された旨のメッセージが表示されたジョブ設定画面の一例を示す説明図である。
【図１３】旧形式のデータを使用するジョブであってもそのジョブの実行を可能にする場合の動作を示す流れ図である。
【符号の説明】
【０１１８】
１０…画像形成装置
１１…バス
１２…ＲＡＭ
１３…読取部
１４…プリンタ部
１５…画像処理部
１６…通信制御部
１７…プログラム書き換えＩ／Ｆ部
２０…ＣＰＵ
２１…プログラム書き換え手段
２２…調査手段
２３…通知制御手段
２４…変換手段
２５…判断手段
２６…ジョブ制限手段
２７…データ形式判定手段
３０…フラッシュメモリ
３１…動作プログラム
３２…変換処理用プログラム
４０…表示操作部
４１…変換指示受付手段
４２…ジョブ投入受付手段
５０…画像記憶手段
５１…ドキュメント
５２…管理情報
２００…管理者用設定画面
２０１…各種の機能の選択釦
２０１ａ…「旧データ変換」釦
２０２…「ＯＫ」釦
２０３…「戻る」釦
２２１…旧データ
２２２…新データ
２４０…変換中画面
２４１…レベルバー
２４２…進捗表示部
２４３…案内メッセージ
３２０…ジョブ設定画面
【図１】
2005309548.tif 000003
【図２】
2005309548.tif 000004
【図３】
2005309548.tif 000005
【図４】
2005309548.tif 000006
【図５】
2005309548.tif 000007
【図６】
2005309548.tif 000008
【図７】
2005309548.tif 000009
【図８】
2005309548.tif 000010
【図９】
2005309548.tif 000011
【図１０】
2005309548.tif 000012
【図１１】
2005309548.tif 000013
【図１２】
2005309548.tif 000014
【図１３】
2005309548.tif 000015